Podtech/llm-jp-corpus-v4-ja_patent huggingface dataset:
【手続補正書】
【提出日】平成18年4月24日(2006.4.24)
【手続補正１】
【補正対象書類名】特許請求の範囲
【補正対象項目名】請求項１
【補正方法】変更
【補正の内容】
【請求項１】
アプリケータ用のポイント組立体（２０）において、
後方の端部（３４）と、先端開口部（２８）を持つ先端（３２）を有するハウジング（３０）と、
前記ハウジングの前記先端内に位置し、前記先端開口部に接触するように位置させられたときに前記先端を閉じる大きさを有する先端ボール（３６）と、
前記先端ボールを前記先端開口部の方へ偏らせるように位置する偏らせ部材（３８）と、
前記偏らせ部材と先前記端ボールとの間に位置し、支持部材（１２）と、前記支持部材から延び、前記先端ボール（３６）の形状に一致するようになっている形状を有する接触部材（１４）を含むボールプッシャ（１０）と
を有し、
前記支持部材（１２）は前方の面（１６）と後方の面（１８）を有し、
前記接触部材（１４）は前記前方の面から延び、
前記後方の面は前記偏らせ部材（３８）に面し、
前記支持部材（１２）は断面寸法を有し、前記接触部材（１４）は、前記支持部材の断面寸法よりも小さい断面寸法を有し、
前記支持部材（１２）は、横方向では前記偏らせ部材（３８）に接触しない
ことを特徴とするポイント組立体。
【手続補正書】
【提出日】平成18年4月6日(2006.4.6)
【手続補正１】
【補正対象書類名】明細書
【補正対象項目名】００１９
【補正方法】変更
【補正の内容】
【００１９】
“（Ｃ１−Ｃ６）−および（Ｃ１−Ｃ４）−アルキルスルホニル”は、アルキル基にそれぞれ１〜６個および１〜４個の炭素原子を有する直鎖または分枝状のアルキルスルホニル基である。例示し得る好適な例は、メチルスルホニル、エチルスルホニル、ｎ−プロピルスルホニル、イソプロピルスルホニルおよびtert−ブチルスルホニルである。
【手続補正２】
【補正対象書類名】明細書
【補正対象項目名】００２７
【補正方法】変更
【補正の内容】
【００２７】
“５員ないし７員の飽和または部分的に不飽和の、環内窒素原子を介して結合しているヘテロシクリル”は、非芳香族のヘテロ環であって、窒素原子の他に、Ｎ、Ｏ、Ｓ、ＳＯまたはＳＯ２系列のさらなるヘテロ原子を含んでいてもよく、また、適切な場合には１個または２個の二重結合を含んでいてもよい。５員ないし６員の飽和へテロ環は、窒素原子の他に、Ｎ、ＯまたはＳ系列のさらなるヘテロ原子を含んでいてもよいヘテロ環が好ましい。例示し得る好適な例は、ピロリジニル、ピロリニル、ピペリジニル、１,２−ジヒドロピリジニル、１,４−ジヒドロピリジニル、ピペラジニル、モルホリニル、チオモルホリニル、ヘキサヒドロアゼピニルおよびヘキサヒドロ−１,４−ジアゼピニルである。ピペリジニル、ピペラジニル、モルホリニルおよびピロリジニルが好ましい。
“ハロゲン”は、フッ素、塩素、臭素およびヨウ素である。フッ素、塩素および臭素が好適である。取分け、フッ素および塩素が好適である。
【手続補正３】
【補正対象書類名】明細書
【補正対象項目名】００４１
【補正方法】変更
【補正の内容】
【００４１】
一変形方法において、式（Ｉ）で示される化合物は以下の［Ａ］法または［Ｂ］法によっても入手することができる：
［Ａ］式（ＶＩ）：
【化８】
2006508898.tif 000001
（ただし、式中、Ｒ１＊はＲ１についての上記の意味を有するが、この場合、臭素またはヨウ素は置換しない；Ｒ３＊はＲ３についての上記の意味を有するが、この場合、臭素またはヨウ素ではない；Ｙは臭素、ヨウ素またはトリフルオロメチルスルホニルオキシ（トリフレート）である）
で示される化合物と、式（ＶII）：
【化９】
2006508898.tif 000002
（ただし、式中、Ｒ２＊はＲ２についての上記の意味を有するが、この場合、臭素またはヨウ素は置換しない；Ｒ７は水素またはメチルであるか、または２つの基が一緒になってＣＨ２ＣＨ２またはＣ(ＣＨ３)２−Ｃ(ＣＨ３)２架橋を形成する）
で示される化合物とを不活性溶媒中、適切なパラジウム触媒と塩基の存在下に、カップリング反応により反応させるか、または
［Ｂ］式（ＶIII）：
【化１０】
2006508898.tif 000003
（ただし、式中、Ｒ１＊、Ｒ３＊およびＲ７は上記の意味を有する）
で示される化合物と、式（ＩＸ）：
Ｒ２−Ｚ      （ＩＸ）
（ただし、式中、Ｒ２は上記の意味を有する；Ｚは臭素またはヨウ素である）
で示される化合物とを不活性溶媒中、適切なパラジウム触媒と塩基の存在下に、カップリング反応により反応させる。
【手続補正４】
【補正対象書類名】明細書
【補正対象項目名】００９１
【補正方法】変更
【補正の内容】
【００９１】
２.２  動物モデルの評価
ａ）組織学的判定／形態測定
肝組織の規格化逆行円柱（約１０×２ｍｍ）を各ラット肝臓の右前葉から切り出した。凍結切片を０.１％ピクロシリウスレッド溶液で染色し、肝線維症と関連するコラーゲン瘢痕を検出した。ファーストグリーンにより対比染色し、コントラストを上げた。肝線維症の度合いは、各切片においてピクロシリウスレッドで染色可能な部分をパーセントで表した。自動形態測定にはライカ・カンチメッド（Leica Quantimed）５００ＭＣシステム（ライカ、ドイツ）を用いた。この場合、カラー検出パラメータを標準化し、実験の期間一定とした。評価には、１００×の倍率で、３１ｍｍ２をカバーする標準の網線による６４個の視野を使用した。
【手続補正５】
【補正対象書類名】明細書
【補正対象項目名】０１１１
【補正方法】変更
【補正の内容】
【０１１１】
一般法（９）
実施例：
【化２４】
2006508898.tif 000004
変法（９−ａ）：ホウ酸誘導体経由：
臭化アリール（１.０eq.、製造法６参照）、アリールホウ酸誘導体（１.２〜２.０eq.）、ＰｄＣｌ２(ｄｐｐｆ)（０.０５eq.）、ジメチルホルムアミド（約０.１５モル／ｌ）および炭酸ナトリウム（２.５〜５.０eq.、２Ｎ水溶液として）を連続してアルゴン気流下のフラスコに容れる。この混合物をアルゴン中８０℃で（通常一夜）激しく撹拌し、冷却後、高真空下に濃縮する。残渣は水性の後処理を行うか、またはシリカゲル・カラム（ジクロロメタン／メタノール混合物）を通し濾過する。粗製生成物はジクロロメタン／ジエチルエーテル混合物からの結晶化、シリカゲル・クロマトグラフィー（ジクロロメタン／メタノール混合物）、または薄層クロマトグラフィー（ジクロロメタン／メタノール混合物）により精製する。
【手続補正６】
【補正対象書類名】明細書
【補正対象項目名】０１５１
【補正方法】変更
【補正の内容】
【０１５１】
表６に掲げる実施例３８Ａ〜実施例６３Ａの中間体は一般法６ａにより製造した：
【表９】
2006508898.tif 000005
【表１０】
2006508898.tif 000006
【表１１】
2006508898.tif 000007
【表１２】
2006508898.tif 000008
【表１３】
2006508898.tif 000009
【表１４】
2006508898.tif 000010
【手続補正書】
【提出日】平成18年4月7日(2006.4.7)
【手続補正１】
【補正対象書類名】特許請求の範囲
【補正対象項目名】全文
【補正方法】変更
【補正の内容】
【特許請求の範囲】
【請求項１】
一般式Ｉ：
【化１】
2006508900.tif 000001
（式中、
Ｒ1およびＲ2は、相互より独立して、水素；ハロゲン；ヒドロキシ；（Ｃ1〜Ｃ20）−アルキル；（Ｃ2〜Ｃ20）−アルケニル；または（Ｃ1〜Ｃ20）−アルコキシであり；
Ｘは、酸素または場合によりＲ1によって置換されたイミノ基であり；
Ｒ3およびＲ4は、相互より独立して、シアノ；−ＣＯＯＲ5；−ＣＯＲ6；−ＣＯＮＨ2；−ＣＯＮＨＲ7；または−ＣＯＮＲ8Ｒ9であり；
Ｒ5、Ｒ6、Ｒ7、Ｒ8、およびＲ9は、相互より独立して、水素；１つ以上のメチレン基が場合により１つ以上の酸素によって置換された（Ｃ1〜Ｃ20）−アルキル；（Ｃ1〜Ｃ20）−ハロアルキル；場合によりトリ−（Ｃ1〜Ｃ5）−アルキルシリル、トリフェニルシリルまたは基−Ｓｉ［ＣＨ3］n［ＯＳｉ（ＣＨ3）3］3-n（式中、ｎは、０、１、２、または３である）によって置換された（Ｃ2〜Ｃ20）−アルケニルである）の化合物。
【請求項２】
Ｘが、Ｏである、請求項１記載の化合物。
【請求項３】
Ｒ1およびＲ2が、水素である、請求項１または２記載の化合物。
【請求項４】
Ｒ3が、シアノであり、Ｒ4が、−ＣＯＯＲ5である、請求項１〜３のいずれか一項記載の化合物。
【請求項５】
２−シアノ−３−｛４−［５−ｔｅｒｔ−ブチル−ベンゾオキサゾール−２−イル］−フェニル｝−アクリル酸２−エチルヘキシルエステルまたは２−シアノ−３−｛４−ベンゾオキサゾール−２−イル−フェニル｝−アクリル酸２−エチルヘキシルエステルである、請求項４記載の化合物。
【請求項６】
Ｒ3およびＲ4が、相互より独立して−ＣＯＯＲ5である、請求項１〜３のいずれか一項記載の化合物。
【請求項７】
２−（４−ベンゾオキサゾール−２−イル−ベンジリデン）−マロン酸ジエチルエステル；
２−（４−ベンゾオキサゾール−２−イル−ベンジリデン）−マロン酸ジブチルエステル；
３−（４−ベンゾオキサゾール−２−イル−フェニル）−２−プロピオニル−アクリル酸２−エチルヘキシルエステル；
２−（４−［６−ヒドロキシ−ベンゾオキサゾール−２−イル］−ベンジリデン）−マロン酸ジエチルエステル；
２−（４−［６−｛２−エチルヘキシル−オキシ｝−ベンゾオキサゾール−２−イル］−ベンジリデン）−マロン酸ジエチルエステル；または
２−（４−｛６−［２−（２−エトキシ−エトキシ）−エトキシ］−ベンゾオキサゾール−２−イル｝−ベンジリデン）−マロン酸ジエチルエステルである、請求項６記載の化合物。
【請求項８】
一般式：
（Ｈ3Ｃ）3Ｓｉ−（Ｂ）ｑ−ＯＳｉ（ＣＨ3）3
〔式中、
Ｂは、Ｂ１、Ｂ２、Ｂ３、Ｂ４およびＢ５：
【化２】
2006508900.tif 000002
からなる群より選択される残基であり、
Ｗは、Ｗ１、Ｗ２およびＷ３：
【化３】
2006508900.tif 000003
（式中、Ｘ、Ｒ1、Ｒ2、Ｒ3およびＲ4は、前記請求項１で定義したとおりであり；Ｙは、酸素、（Ｃ1〜Ｃ20）−アルキレン、（Ｃ2〜Ｃ20）−アルケニレン、または−Ｏ−（Ｃ1〜Ｃ20）−アルキレンであり；Ｙ′は、（Ｃ1〜Ｃ20）−アルキレンまたは（Ｃ2〜Ｃ20）−アルケニレンである）からなる群より選択される残基であり、
ｑは、１〜４００の整数であり、任意の配列における残基Ｂ１〜Ｂ５の和を表し、ここで少なくとも１つのＢが、Ｂ１、Ｂ２、Ｂ３またはＢ４であり、比
（Ｂ１＋Ｂ２＋Ｂ３＋Ｂ４）／（Ｂ１＋Ｂ２＋Ｂ３＋Ｂ４＋Ｂ５）
は、０．６を超えない〕のポリシロキサン。
【請求項９】
ｑが、２〜２００の整数である、請求項８記載のポリシロキサン。
【請求項１０】
比（Ｂ１＋Ｂ２＋Ｂ３＋Ｂ４）／（Ｂ１＋Ｂ２＋Ｂ３＋Ｂ４＋Ｂ５）が、０．０１〜０．４の間で変化する、請求項８または９記載のポリシロキサン。
【請求項１１】
【化４】
2006508900.tif 000004
である、請求項１０記載のポリシロキサン。
【請求項１２】
ＵＶ−Ａスクリーン剤としての請求項１〜１１のいずれか一項記載の化合物の使用。
【請求項１３】
ヒト皮膚またはヒト毛髪を保護するための、請求項１２記載の化合物の使用。
【請求項１４】
ＵＶ放射に対して感受性であるプラスチック材料および医薬製品を保護するための、請求項１２記載の化合物の使用。
【請求項１５】
請求項１〜１１のいずれか一項記載の１つ以上の化合物および少なくとも１つの薬学的および／または美容的に許容される賦形剤を含む組成物。
【請求項１６】
請求項１〜１１のいずれか一項記載の１つ以上の化合物が、組成物の総量の０．５〜２０重量％の量で存在する、請求項１５記載の化合物。
【請求項１７】
請求項１〜１１のいずれか一項記載の１つ以上の化合物が、組成物の総量の０．５〜１２重量％の量で存在する、請求項１６記載の組成物。
【請求項１８】
局所組成物である、請求項１５、１６または１７記載の組成物。
【手続補正書】
【提出日】平成18年10月19日(2006.10.19)
【手続補正１】
【補正対象書類名】特許請求の範囲
【補正対象項目名】全文
【補正方法】変更
【補正の内容】
【特許請求の範囲】
【請求項１】
液体をエンドレスコンベヤーベルトから除去するための清掃アセンブリにおいて、
前記エンドレスコンベヤーベルトに隣接して配置される液体吸収材であって、該エンドレスコンベヤーベルトに対して移動可能な接触面を有し、該接触面の複数の異なる部分が該エンドレスコンベヤーベルトに順次に係合して液体を該エンドレスコンベヤーベルトから払拭できるようになっている液体吸収材と、
前記液体吸収材の液体飽和の程度を示す信号を発生するセンサーと、
を具備することを特徴とする清掃アセンブリ。
【請求項２】
前記液体吸収材の前記接触面の、前記エンドレスコンベヤーベルトに係合する部分が、弧状に配置される、請求項１に記載の清掃アセンブリ。
【請求項３】
前記接触面が、中央の横向きのコアから外側へ広がる前記液体吸収材の複数の横方向突出物の外縁によって画定される、請求項２に記載の清掃アセンブリ。
【請求項４】
前記コアが、前記液体吸収材に含まれる液体を該コアに向けて吸引する手段を有する、請求項３に記載の清掃アセンブリ。
【請求項５】
液体を前記コアから抜き出す手段をさらに備える、請求項４に記載の清掃アセンブリ。
【請求項６】
前記液体吸収材の前記接触面を前記エンドレスコンベヤーベルトに対して連続的に移動させる手段をさらに具備する、請求項２に記載の清掃アセンブリ。
【請求項７】
前記液体吸収材と前記エンドレスコンベヤーベルトとの間にスクリムが配置される、請求項１に記載の清掃アセンブリ。
【請求項８】
前記液体吸収材が、不織布材料、織布材料、ニット材料およびそれらの組合せを含む群から選択される、請求項１に記載の清掃アセンブリ。
【請求項９】
前記液体吸収材が、３５０°Ｆよりも高い溶融温度を有する、請求項１に記載の清掃アセンブリ。
【請求項１０】
前記液体吸収材の筐体をさらに具備する、請求項１に記載の清掃アセンブリ。
【請求項１１】
前記液体吸収材が、該液体吸収材の清掃または取換えのために前記筐体から分離可能である、請求項１０に記載の清掃アセンブリ。
【請求項１２】
前記液体吸収材および前記筐体が吸収材カートリッジを備え、該吸収材カートリッジがその清掃または取換えのために、前記エンドレスコンベヤーベルトから分離可能である、請求項１０に記載の清掃アセンブリ。
【請求項１３】
前記センサーが、前記液体吸収材の重量の経時的な変化を検出する、請求項１に記載の清掃アセンブリ。
【請求項１４】
前記センサーが、前記液体吸収材の不透明度の経時的な変化を検出する、請求項１に記載の清掃アセンブリ。
【請求項１５】
前記液体吸収材が、親油性、親水性およびそれらの組合せのうちの、１つ以上の特性を有する、請求項１に記載の清掃アセンブリ。
【手続補正書】
【提出日】平成18年10月19日(2006.10.19)
【手続補正１】
【補正対象書類名】明細書
【補正対象項目名】００４８
【補正方法】変更
【補正の内容】
【００４８】
二つの外側層、および澱粉ブレンド中のポリエステル成分はそれぞれ同じポリエステル材料または異なるポリエステル材料またはポリエステル材料の混合物で形成されていてもよい。
【手続補正２】
【補正対象書類名】明細書
【補正対象項目名】００５５
【補正方法】変更
【補正の内容】
【００５５】
本発明のフィルムは以下の有益な性質に特徴がある：
−  優れた引裂強度、
−  優れた伸長性、
−  （１: ５倍までの）延伸可能性、
−  優れたシーリング性、
−  完全な生分解性、
−  食品にとって安全。
【手続補正３】
【補正対象書類名】明細書
【補正対象項目名】００８０
【補正方法】変更
【補正の内容】
【００８０】
ＡＢＡタイプの三層フィルムの製造を説明する。外側層および内側層（Ａ）は生分解性ポリエステルEcoflex FBX 7011 よりなりそして中間層（Ｂ）は澱粉ブレンド BIOPar（Ｒ） 9345-30 または BIOPar（Ｒ） 9345-15よりなる。
【手続補正４】
【補正対象書類名】明細書
【補正対象項目名】００８２
【補正方法】変更
【補正の内容】
【００８２】
この装置は以下の構成要素を装備している：
-     押出機 A： Ecoflex FBX 7011外側層用のVarex（Ｒ）, 60.30 D ;
-     押出機 B：BIOPar(R) 9345-30 中間層用の Varex（Ｒ）, 90.30 D（LTS スクリュー 37021001 装備）;
-     押出機 C：Ecoflex FBX 7011内側層用の Varex（Ｒ）, 60.30 D ;
-     顆粒物質の計量供給装置および特別な混合および均一化領域を備えた搬送スクリューおよび篩交換器(screen changers);
-     280 mmのダイス内径、0.8mmの間隙幅を有する三層フィルムのためのブローフィルム-ダイス
１，５３０ｍｍのフィルム幅および４０μｍのフィルム厚さで以下のパラメータが達成される：
-     １６９．６ｋｇ／時の総材料処理量、
-     圧力：外側２８０ｂａｒ、中間２４７ｂａｒ、内側２５０ｂａｒ、および
-     温度：
胴体−フィルター外側: - 120 - 140 - 150 - 140 - 140 - 140 °C
胴体−フィルター中間: - 100 - 120 - 130 - 130 - 130 - 125 - 125 -130°C
胴体−フィルター内側: - 120 - 140 - 150 - 140 - 140 - 140 °C
ブローダイス温度： 130 °C
-     取り出し速度： １７．７ m/分
・    ブロー比： １：３．５ 〜 １：５。
【手続補正５】
【補正対象書類名】明細書
【補正対象項目名】００８３
【補正方法】変更
【補正の内容】
【００８３】
製造をKuhne社の機械、機械型式 No. 2000-140312-0100; KFB 45 - 70 - 1.6000 BCのブローフィルム製造装置で行なうことを相違させて、実施例２と類似の層構成を有するＡＢＡタイプの三層フィルムの製造を説明する。
【手続補正６】
【補正対象書類名】明細書
【補正対象項目名】００８７
【補正方法】変更
【補正の内容】
【００８７】
この装置は以下の構成要素を装備している：
-     Ecoflex FBX 7011外側層用の、混合ヘッドを備えた外側押出成形機 BFA 30-25, LD  1:25, PEスクリュー,
-     BIOPar（Ｒ）9345-30 中間層用の、バリヤースクリュー（スクリュウー径４５ｍｍ）、ＰＥスクリューおよびMaddock要素を装備した主要押出機（Battenfeld 型 Uni-Ex 1-45-25 B 、LD 1:25;
-     Ecoflex FBX 7011内側層用の、混合ヘッドを有するＰＥスクリューを装備した内側用押出成形機 BFA 30-25, LD 1:25,
-     ConPro Gravimetric Feedhoppers Type KTW G3をベースとする、顆粒材料の計量供給装置および
-     直径８０ｍｍ、ノズル間隙１．０ｍｍの単層または３〜５層フィルム用ブロー成形フィルム用ダイス、および
適当な取り出しシステム。
【手続補正７】
【補正対象書類名】明細書
【補正対象項目名】００９４
【補正方法】変更
【補正の内容】
【００９４】
フィルムは15:70:15 の層Ａ：Ｂ：Ａの質量比および５０μｍの総厚を有している。これらは８ｍ／分の取り出し速度および１：３．５のブロー比で取り出す。
2006508830.tif 000001
【手続補正８】
【補正対象書類名】明細書
【補正対象項目名】０１０６
【補正方法】変更
【補正の内容】
【０１０６】
以下の表に実施例４と同様にして製造されるＡＢＡタイプの三層フィルムの機械的性質を内側、中間層および外側層の層厚比に関して比較する。
【手続補正書】
【提出日】平成18年9月12日(2006.9.12)
【手続補正１】
【補正対象書類名】特許請求の範囲
【補正対象項目名】全文
【補正方法】変更
【補正の内容】
【特許請求の範囲】
【請求項１】
少なくとも１つのセラミック又はガラスに基づいたスペーサ（２０）をガラス基材（１０）に接合するための接合材料（３０）であって、粒子形態の少なくとも１つの金属酸化物と混合されたエナメルを含むことを特徴とする、接合材料。
【請求項２】
抵抗率が１０5〜１０10Ω・ｃｍであることを特徴とする、請求項１に記載の接合材料。
【請求項３】
前記金属酸化物粒子が、経時的にかつ最大６００℃の温度に関して安定であることを特徴とする、請求項１又は２に記載の接合材料。
【請求項４】
前記金属酸化物粒子が、Ｚｒ、Ｖ、Ａｌ、Ｃｒ、Ｍｎ、Ｆｅ、Ｃａ、Ｓｉ、Ｃｏ、Ｎｉ、Ｚｎ、Ｔｉ、Ｎｉ、Ｎｂ、Ｗ、Ｓｂ、Ｐｂ、Ｓｎ、Ｃｕ、Ｒｕ、Ｉｒのうち１つ又は複数の元素を含有することを特徴とする、請求項１〜３のいずれか１項に記載の接合材料。
【請求項５】
前記金属酸化物が酸化ルテニウムであることを特徴とする、請求項１〜４のいずれか１項に記載の接合材料。
【請求項６】
粘度が最大５０Ｐａ・ｓであることを特徴とする、請求項１〜５のいずれか１項に記載の接合材料。
【請求項７】
少なくとも１つの溶剤と幾らかの樹脂を含むことを特徴とする、請求項１〜６のいずれか１項に記載の接合材料。
【請求項８】
スペーサ（２０）を用いて離して保たれた２つのガラス基材（１０、４０）を含み、該スペーサの一方の端部（２１）が、請求項１〜７のいずれか１項に記載の接合材料（３０）によって少なくとも一方の基材（１０）に接着された、構造体。
【請求項９】
もう一方の基材（４０）に支持されたスペーサの反対側の端部（２２）が、少なくとも１つの接着材料（５０）でコーティングされたことを特徴とする、請求項８に記載の構造体。
【請求項１０】
前記接着材料（５０）が接合材料（３０）を含むことを特徴とする、請求項９に記載の構造体。
【請求項１１】
前記接合材料（３０）が、スペーサの一方の端部と基材との間の高さの差を埋めるのに適した手段を構成することを特徴とする、請求項８〜１０のいずれか１項に記載の構造体。
【請求項１２】
前記スペーサが、電気伝導性又は非電気伝導性であることを特徴とする、請求項８〜１１のいずれか１項に記載の構造体。
【請求項１３】
スペーサと基材の間に位置された接合材料の接触抵抗が、該スペーサの抵抗に比べてわずかであることを特徴とする、請求項８〜１２のいずれか１項に記載の構造体。
【請求項１４】
請求項１〜７のいずれか１項に記載の接合材料によってガラス基材（１０）にスペーサ（２０）を接着する方法であって、該スペーサ（２０）が固定位置に維持されかつ該接合材料（３０）でその端部の一方（２１）を覆われ、該ガラス基材（１０）が該接合材料で覆われた該スペーサの端部（２１）に接して置かれ、次いで、構造体全体、即ち、該基材と該スペーサがアニーリング操作を受けることを特徴とする、方法。
【請求項１５】
前記基材に接合された前記スペーサ（２０）の反対側の端部（２２）が接着材料（５０）で覆われ、もう一方の基材（４０）が該スペーサの該端部（２２）に接して置かれ、次いで、この２つの基材とスペーサを含むアセンブリがアニーリング操作を受けることを特徴とする、請求項１４に記載の方法。
【請求項１６】
前記接合材料（３０）でその端部（２１、２２）の一方又は両方をコーティングされたスペーサが、前記基材に接合される前にアニーリングされることを特徴とする、請求項１４又は１５に記載の方法。
【請求項１７】
プラズマスクリーン又はＦＥＤスクリーンタイプの放射スクリーン、フラットランプ、断熱真空グレージング、及びサーモクロミックウィンドウの製造における、請求項１〜７のいずれか１項に記載の接合材料の使用。
【手続補正２】
【補正対象書類名】明細書
【補正対象項目名】００１５
【補正方法】変更
【補正の内容】
【００１５】
１つの特徴によれば、この材料の抵抗率は１０5〜１０10Ω・ｃｍである。
【手続補正書】
【提出日】平成17年12月22日(2005.12.22)
【手続補正１】
【補正対象書類名】特許請求の範囲
【補正対象項目名】請求項１５
【補正方法】変更
【補正の内容】
【請求項１５】
個々の背もたれは、背もたれの上部から上下方向に摺動可能なヘッドレストを備えたことを特徴とする請求項１０記載の一対の折りたたみ式後部座席。
【手続補正２】
【補正対象書類名】明細書
【補正対象項目名】請求項１６
【補正方法】変更
【補正の内容】
【請求項１６】
個々の座部の前記インナークッションは、前記それぞれの殻に取り付けられた下部座面パンと、下部座面パンに取り付けられた上部座面パンと、上部座面パンを覆うメッシュ状布地層と、メッシュ状布地の一部の上部のクッション層とをさらに含むことを特徴とする請求項１２記載の一対の折りたたみ式後部座席。
【手続補正書】
【提出日】平成18年7月13日(2006.7.13)
【手続補正１】
【補正対象書類名】特許請求の範囲
【補正対象項目名】全文
【補正方法】変更
【補正の内容】
【特許請求の範囲】
【請求項１】
センス電流から生成された制御信号に応答して動作し、かつ、供給電圧に結合された第１ソース、前記供給電圧の負荷電流を出力ノードへルートするための共通ドレイン、および、前記負荷電流をサンプリングして前記センス電流を生成するための第２ソースを有するミラー・トランジスタと、
第１フォールト条件に応答して前記ミラー・トランジスタを不能にし、かつ、前記第１フォールト条件のフォールト・スレショルドを調整するために突入電流リミッタ回路の第１リードに結合されたフォールト保護回路と、
外部フォールト条件を表わすフォールト信号を受信して前記ミラー・トランジスタを不能にするために前記第１リードに結合されたフォールト通信回路と、
から構成されることを特徴とする突入電流リミッタ回路。
【請求項２】
前記フォールト保護回路を形成するための第１表面、および、前記ミラー・トランジスタの前記共通ドレインを形成するための第２表面、を有する半導体基板と、
検出回路であって、
前記フォールト保護回路、および、
第２フォールト条件を前記ミラー・トランジスタの温度としてモニタするために前記半導体基板上に形成された熱センサ、
を含む検出回路と、をさらに含み、
前記半導体基板の前記温度が予め決められた温度スレショルドよりも高いとき、前記熱センサがシャットダウン信号を生成する、
ことを特徴とする請求項１記載の前記突入電流リミッタ回路。
【請求項３】
前記供給電圧をモニタするために前記突入電流リミッタ回路の第２リードに結合された不足電圧検出器をさらに含むことを特徴とする請求項１記載の突入電流リミッタ回路。
【請求項４】
制御信号に応答して動作を受け付けるための共通ゲートを有し、かつ、供給電圧に結合された電力ソース、負荷電流を供給するための共通ドレイン、および、前記負荷電流をサンプリングしてセンス電流を生成するためのセンシング・ソースを有する第１ミラー・トランジスタと、
前記供給電圧が第１過電圧スレショルドよりも大きいときに前記第１ミラー・トランジスタを不能にするために結合され、かつ、前記第１過電圧スレショルドを外部から修正するために前記突入電流リミッタの第１リードに結合された入力を有する第１検出回路と、
フォールト条件に応答して前記第１ミラー・トランジスタを不能にし、かつ、シャットダウン信号を生成するために前記第１リードに結合された第１フォールト保護回路と、
から構成されることを特徴とする突入電流リミッタ。
【請求項５】
前記第１検出回路および前記第１フォールト保護回路を形成するための第１表面、および、前記第１ミラー・トランジスタの前記共通ドレインを形成するための第２表面を有する第１半導体基板と、
第２半導体基板と、
前記第２半導体基板の第１表面上に形成され、かつ、前記第１ミラー・トランジスタの前記電力ソースおよび前記センシング・ソースにそれぞれ結合された電力ソースおよびセンシング・ソース、および、前記第２半導体基板の第２表面上に形成された共通ドレインを有する第２ミラー・トランジスタと、
前記供給電圧が第２過電圧スレショルドよりも大きいときに前記第２ミラー・トランジスタを不能にするために前記第２半導体基板の前記第１表面上に形成され、かつ、前記第２過電圧スレショルドを外部から修正するために前記突入電流リミッタ回路の第３リードに結合された入力を有する第２検出回路と、
前記シャットダウン信号で前記第２ミラー・トランジスタを不能にするために前記第１リードに結合された入力を有する第２フォールト保護回路と、
をさらに含むことを特徴とする請求項４記載の突入電流リミッタ。
【手続補正書】
【提出日】平成18年6月16日(2006.6.16)
【手続補正１】
【補正対象書類名】特許請求の範囲
【補正対象項目名】全文
【補正方法】変更
【補正の内容】
【特許請求の範囲】
【請求項１】
プログラムを移動体端末に無線でダウンロードする方法であって、
第１の無線ネットワークからダウンロードに利用可能なプログラムに関するガイド情報を受信し、
前記ガイド情報に応じてダウンロードする特定のプログラムを選択し、
選択情報を前記第１の無線ネットワークに送信し、
第２の無線ネットワークの受信可能領域の存在を検出し、前記第２の無線ネットワークと前記第１の無線ネットワークとが相互接続機能を有し、
前記移動体端末を前記第２の無線ネットワークに接続し、前記第１の無線ネットワークを介して前記第２の無線ネットワークに対して前記移動体端末を認証し、
認証に応じて前記第２の無線ネットワークから前記プログラムを受信することを有する方法。
【請求項２】
請求項１に記載の方法であって、
前記移動体端末により選択情報を前記第２の無線ネットワークに送信し、
認証、並びに前記第１及び第２の無線ネットワークに送信された前記選択情報の比較に応じて、前記移動体端末により前記第２の無線ネットワークから前記プログラムを受信することを更に有する方法。
【請求項３】
請求項１に記載の方法であって、
前記ガイド情報受信ステップが、前記第２の無線ネットワークの位置を示す位置情報を受信することを更に有する方法。
【請求項４】
請求項３に記載の方法であって、
前記ガイド情報が、前記第２の無線ネットワークでダウンロードに利用可能なプログラムを有する方法。
【請求項５】
請求項３に記載の方法であって、
前記ガイド情報が、前記第２の無線ネットワークを通じて前記第１の無線ネットワークからダウンロードに利用可能なプログラムを有する方法。
【請求項６】
請求項２に記載の方法であって、
前記第１の無線ネットワークに送信するステップが、前記選択されたプログラムに関連するプログラムの識別を送信することを有する方法。
【請求項７】
請求項６に記載の方法であって、
前記第２の無線ネットワークに送信するステップが、前記選択されたプログラムに関連する暗号化Ｐａｃｋｅｔ  Ｔｅｍｐｏｒａｒｙ  Ｍｏｂｉｌｅ  Ｓｕｂｓｃｒｉｂｅｒ  Ｉｄｅｎｔｉｆｉｅｒ及びプログラムの識別を送信することを有する方法。
【請求項８】
請求項１に記載の方法であって、
前記第１の無線ネットワークがセルラネットワークを有し、
前記第２の無線ネットワークが無線ローカルエリアネットワークを有する方法。
【請求項９】
プログラムを無線でダウンロードする装置であって、
第１の無線ネットワークからダウンロードに利用可能なプログラムに関するガイド情報を受信する手段と、
前記ガイド情報とユーザ入力とに応じてダウンロードする特定のプログラムを選択する手段と、
選択情報を前記第１の無線ネットワークに送信する手段と、
第２の無線ネットワークの受信可能領域の存在を検出し、前記第２無線ネットワークと前記第１の無線ネットワークとが相互接続機能を有する手段と、
前記第２の無線ネットワークに登録し、前記第１の無線ネットワークを介して前記装置を認証する手段と、
認証に応じて前記第２の無線ネットワークから前記プログラムを受信する手段と
を有する装置。
【請求項１０】
請求項９に記載の装置であって、
前記ガイド情報を受信する手段がまた、前記第２の無線ネットワークの位置を示す位置情報を受信する装置。
【請求項１１】
請求項９に記載の装置であって、
前記第１の無線ネットワークに送信する手段が、前記選択されたプログラムに関連するプログラムの識別を送信する装置。
【請求項１２】
請求項１１に記載の装置であって、
前記第２の無線ネットワークに送信する手段が、前記選択されたプログラムに関連する暗号化Ｐａｃｋｅｔ  Ｔｅｍｐｏｒａｒｙ  Ｍｏｂｉｌｅ  Ｓｕｂｓｃｒｉｂｅｒ  Ｉｄｅｎｔｉｆｉｅｒ及びプログラムの識別を送信する装置。
【請求項１３】
請求項９に記載の装置であって、
前記第１の無線ネットワークがセルラネットワークを有し、
前記第２の無線ネットワークが無線ローカルエリアネットワークを有する装置。
【請求項１４】
第１の無線ネットワークから移動体端末にプログラムを送信する方法であって、
相互接続機能を介して前記第１の無線ネットワークを第２の無線ネットワークに結合し、
移動体端末から識別情報を受信し、前記移動体端末を前記第１の無線ネットワークに登録し、
前記相互接続機能を介して移動体端末識別情報を前記第２の無線ネットワークに送信すし、
前記第２の無線ネットワークから認証情報を前記移動体端末により受信し、
前記移動体端末からプログラム識別情報を受信し、
前記第２の無線ネットワークから第２のプログラム識別情報を受信し、
前記プログラムの識別と前記第２のプログラムの識別とを比較し、
前記認証情報並びに前記第１及び第２のプログラムの識別の比較に応じて、要求されたプログラムを前記移動体端末に送信することを有する方法。
【請求項１５】
請求項１４に記載の方法であって、
前記第２のネットワークでダウンロードに利用可能な複数のプログラムを格納するステップを更に有する方法。
【請求項１６】
請求項１４に記載の方法であって、
前記第２のネットワークから前記要求されたプログラムを受信するステップと、
前記移動体端末から要求を受信する前に、前記第１の無線ネットワークに前記要求されたプログラムを格納するステップと
を更に有する方法。
【請求項１７】
請求項１４に記載の方法であって、
インターネットから前記要求されたプログラムを取り出すステップと、
前記移動体端末から要求を受信する前に、前記第１の無線ネットワークに前記要求されたプログラムを格納するステップと
を更に有する方法。
【請求項１８】
請求項１４に記載の方法であって、
前記移動体端末から暗号化Ｐａｃｋｅｔ  Ｔｅｍｐｏｒａｒｙ  Ｍｏｂｉｌｅ  Ｓｕｂｓｃｒｉｂｅｒ  Ｉｄｅｎｔｉｆｉｅｒを受信し、前記第２の無線ネットワークから第２の暗号化Ｐａｃｋｅｔ  Ｔｅｍｐｏｒａｒｙ  Ｍｏｂｉｌｅ  Ｓｕｂｓｃｒｉｂｅｒ  Ｉｄｅｎｔｉｆｉｅｒを受信するステップと、
前記第１及び第２の暗号化Ｐａｃｋｅｔ  Ｔｅｍｐｏｒａｒｙ  Ｍｏｂｉｌｅ  Ｓｕｂｓｃｒｉｂｅｒ  Ｉｄｅｎｔｉｆｉｅｒ並びに前記第１及び第２のプログラムの識別の比較に応じて、前記要求されたプログラムを送信するステップと
を更に有する方法。
【請求項１９】
請求項１４に記載の方法であって、
前記第１の無線ネットワークが無線ローカルエリアネットワークを有し、
前記第２の無線ネットワークがセルラネットワークを有する方法。
【手続補正書】
【提出日】平成18年11月6日(2006.11.6)
【手続補正１】
【補正対象書類名】特許請求の範囲
【補正対象項目名】請求項８
【補正方法】変更
【補正の内容】
【請求項８】
前記エレクトロポレーションウェル中の前記エレクトロポレーション電極の１つが、他のエレクトロポレーション電極と向き合うように配置されている、請求項１に記載のエレクトロポレーションプレート。
【手続補正２】
【補正対象書類名】特許請求の範囲
【補正対象項目名】請求項３３
【補正方法】変更
【補正の内容】
【請求項３３】
前記プレートリーダーが、機械的視覚装置、分光光度計、及び前記エレクトロポレーションプレートの１又は複数のエレクトロポレーションウェルの中身を調べることによってエレクトロポレーションデータを回収するためのルミノメーターからなる群から選択された読み込み要素を使用する、請求項３２に記載のエレクトロポレーションシステム。
【手続補正３】
【補正対象書類名】明細書
【補正対象項目名】００４４
【補正方法】変更
【補正の内容】
【００４４】
データを回収するために、プレートリーダーは、エレクトロポレーションプレートにおいて行われる１又は複数のエレクトロポレーション実験から生じるだろうデータと適合する読み込み装置を使用する。例えば、もし、細胞中に導入された外因性分子が、レポーター遺伝子をコードする核酸分子（その発現産物は蛍光を発生できるタンパク質である）であれば、特定のウェルからどのくらいの蛍光が放射されたかによりデータを回収するためにルミノメーター（luminomitor）が使用されて良い。類似して、他の種の外因性分子の他の物質が、所望により、標識されても良く、典型的には使用される検出システムと適合する成分により標識されて良い。もし、異なるエレクトロポレーション条件、バッファー、反応物濃度などが異なるウェルで使用された場合、異なる結果が予測できうる。他の読込み装置としては、分光光度計（例えば、外因性分子が導入されている宿主細胞の懸濁中での光の特異的な波長の吸光度、又は特異的な波長範囲の違いを測定するため）及び機械的視覚装置（例えば、外因性分子の、懸濁における宿主細胞中へのエレクトロポレーション介在導入後の細胞の付着を評価するために）が使用されて良いが、外因性分子によって介在された細胞に対する効果を検出することができる全ての装置が使用されて良い。
【手続補正書】
【提出日】平成18年6月6日(2006.6.6)
【手続補正１】
【補正対象書類名】特許請求の範囲
【補正対象項目名】全文
【補正方法】変更
【補正の内容】
【特許請求の範囲】
【請求項１】
配列番号１、その相補形態、またはそれに由来するＲＮＡ形態よりなる単離された核酸分子。
【請求項２】
配列番号２、その相補形態、またはそれに由来するＲＮＡ形態よりなる単離された核酸分子。
【請求項３】
スタフィロコッカス（Ｓｔａｐｈｙｌｏｃｏｃｃｕｓ）種、特に、Ｓ．アウレウス（Ｓ．ａｕｒｅｕｓ）の検出および同定のための、配列番号１もしくは２、または前記配列番号１もしくは２のＲＮＡ形態（ここで、ＴはＵによって置き換えられている）、あるいは前記配列番号１もしくは２の相補形態、あるいはその少なくとも２０個の連続したヌクレオチドのフラグメント、あるいはそれらのいずれかの相同物に特異的にハイブリダイズする単離された核酸分子であって、欧州特許出願公開第７８６５１９号の配列番号：４９７７として記載された配列を有するものを除く。
【請求項４】
配列番号１４、１６〜２２、２５〜３２、３５〜４２、５１、５２、５３、５５、５８、６５、６７、６８、６９および７０よりなる群から選択される核酸よりなる、請求項３に記載の単離された核酸分子。
【請求項５】
２つのポリヌクレオチドプローブの組であって、前記２つのプローブは、配列番号１もしくは配列番号２または相同物、あるいはそれらのＲＮＡ形態（ここで、ＴはＵによって置き換えられている）、あるいはそれらの相補形態に特異的にハイブリダイズし、ここで、前記２つのプローブ間には２５以下のヌクレオチドが存在する、２つのポリヌクレオチドプローブの組。
【請求項６】
配列番号１５および２０、または配列番号１５および２１、または配列番号１７および１６、または配列番号１７および１９、または配列番号２６および１４、または配列番号２７および２８、配列番号２９および２２、または配列番号３２および３９、または配列番号３０および１８、または配列番号３６および３８、または配列番号３７および３５、または配列番号４０および２５、または配列番号４１および３１、または配列番号４２および４３よりなる、請求項５に記載の２つのポリヌクレオチドプローブの組。
【請求項７】
請求項１〜４のいずれか１項に記載の少なくとも１つの核酸分子ならびに／あるいは請求項５または請求項６に記載の２つのポリヌクレオチドプローブの組を含んでなる組成物。
【請求項８】
スタフィロコッカス（Ｓｔａｐｈｙｌｏｃｏｃｃｕｓ）種、特に、Ｓ．アウレウス（Ｓ．ａｕｒｅｕｓ）の検出および同定のための配列番号１もしくは２、または前記配列番号１もしくは２のＲＮＡ形態（ここで、ＴはＵによって置き換えられている）、あるいは前記配列番号１もしくは２の相補形態、あるいはその少なくとも２０個の連続したヌクレオチドのフラグメント、あるいはそれらのいずれかの相同物よりなる核酸分子の使用。
【請求項９】
請求項１〜４のいずれか１項に記載の少なくとも１つの核酸分子を使用して、スタフィロコッカス（Ｓｔａｐｈｙｌｏｃｏｃｃｕｓ）種を検出または同定するための方法。
【請求項１０】
（ｉ）必要であれば、サンプル中のポリ核酸を遊離、単離および／または濃縮する工程、
（ｉｉ）必要であれば、少なくとも１つの適切なプライマー対で、１６Ｓ〜２３Ｓ  ｒＲＮＡスペーサー領域、または標的配列を含んでなるフラグメント、または標的配列もしくはそのフラグメントを増幅する工程、
（ｉｉｉ）工程（ｉ）または（ｉｉ）のポリ核酸と、標的配列（ここで、工程（ｉｉ）および（ｉｉｉ）の標的配列は、配列番号１もしくは２またはその相同物よりなる）、あるいはそれらのＲＮＡ形態（ここで、ＴはＵによって置き換えられている）、あるいはそれらの相補形態、あるいはその少なくとも２０個の連続したヌクレオチドのフラグメントにハイブリダイズする少なくとも１つのポリヌクレオチドプローブとをハイブリダイズさせる工程、
（ｉｖ）形成されたハイブリッドを検出する工程、ならびに
（ｖ）得られるシグナルを解釈し、スタフィロコッカス（Ｓｔａｐｈｙｌｏｃｏｃｃｕｓ）種の存在を推論し、およびサンプル中のスタフィロコッカス（Ｓｔａｐｈｙｌｏｃｏｃｃｕｓ）種を同定する工程、
を含んでなる、サンプル中のスタフィロコッカス（Ｓｔａｐｈｙｌｏｃｏｃｃｕｓ）種の検出および同定のための、請求項９に記載の方法。
【請求項１１】
適切なプライマー対が、配列番号４５、４９、５０、５２、５６、６１、６３、６４、６５、６６、６７、６８およびそれらの相同物よりなる群から選択される順方向プライマーポリヌクレオチド、ならびに配列番号４６、４７、４８、５１、５３、５４、５５、５７、５８、５９、６０、６２、およびそれらの相同物よりなる群から選択される逆方向プライマーポリヌクレオチドの任意の組み合わせよりなる、請求項１０に記載の方法。
【請求項１２】
２つのポリヌクレオチドプローブが使用される、請求項１０または１１に記載の方法。
【請求項１３】
２つのポリヌクレオチドプローブが、間に２５個未満のヌクレオチドを伴って相互に隣接する標的配列にハイブリダイズする、請求項１２に記載の方法。
【請求項１４】
２つのポリヌクレオチドプローブが、配列番号１５および２０、または１５および２１、または１７および１６、または配列番号１７および１９、または２６および１４、または２７および２８、２９および２２、または３２および３９、または３０および１８、または３６および３８、または３７および３５、または４０および２５、または４１および３１、または４２および４３のポリヌクレオチドよりなる、請求項１３に記載の方法。
【請求項１５】
以下の成分：
・請求項１〜４のいずれか１項に記載の少なくとも１つの核酸分子ならびに／あるいは請求項５または６に記載の２つのポリヌクレオチドプローブの組、
・ハイブリダイゼーション緩衝液、または前記緩衝液を生成するのに必要な成分
を含んでなる、スタフィロコッカス（Ｓｔａｐｈｙｌｏｃｏｃｃｕｓ）種の検出および同定のためのキット。
【手続補正２】
【補正対象書類名】明細書
【補正対象項目名】００５７
【補正方法】変更
【補正の内容】
【００５７】
特に、本発明の目的は、スタフィロコッカス（Ｓｔａｐｈｙｌｏｃｏｃｃｕｓ）種、特に、Ｓ．アウレウス（Ｓ．ａｕｒｅｕｓ）の検出ならびに／あるいは同定のための配列番号１もしくは２、または前記配列番号１もしくは２のＲＮＡ形態（ここで、ＴはＵによって置き換えられている）、あるいは前記配列番号１もしくは２の相補形態、あるいはその少なくとも２０個の連続したヌクレオチドのフラグメント、あるいはそれらのいずれかの相同物に特異的にハイブリダイズする単離された核酸分子であって、欧州特許出願公開第７８６５１９号の配列番号：４９７７として記載された配列を有するものを除く。
【手続補正３】
【補正対象書類名】明細書
【補正対象項目名】０１５７
【補正方法】変更
【補正の内容】
【０１５７】
【表１】
2006508671.tif 000001
【手続補正４】
【補正対象書類名】明細書
【補正対象項目名】０１６０
【補正方法】変更
【補正の内容】
【０１６０】
【表４】
2006508671.tif 000002
【手続補正書】
【提出日】平成18年8月14日(2006.8.14)
【手続補正１】
【補正対象書類名】特許請求の範囲
【補正対象項目名】請求項１
【補正方法】変更
【補正の内容】
【請求項１】
以下からなる群より選択される癌の発生に関与する少なくとも1つのマウスゲノム領域またはそのヒト相同体の、該領域がコードするポリペプチドの調製のための、使用：細胞表面タンパク質をコードするAdam11、AI462175、Cd24a、Edg3、Itgp、Kcnj16、Kcnk5、Kcnn4、Ly108、Ly6i、EMILINのマウス相同体、Mrc1、Ninj2、Nphs1、Sema4b、Tm9sf2、およびTnfrsf17; 酵素をコードするApobec2、Btd、Cds2、Clpx、Ddx19、Ddx21、Dnmt2、Dqx1、Hdac7a、Lce-pending、Mgat1、CILPのマウス相同体、NOH61のマウス相同体、Nudel-pending、Pah, Pdi1、Ppia、Prps1、Ptgds、およびVars2；キナーゼをコードするDagk4、PSKのマウス相同体、Nme2、Snf1lk、およびTyki；ホスファターゼをコードするInpp4a、およびInpp5b；分泌因子をコードするIl16、Prg、およびScya4；シグナリング・タンパク質をコードするAkap7、Api5、Arfrp1、Arhgap14-pending、Cish2、Dapp1、Fabp6、Fkbp8、Fliz1-pending、Hint、Ier5、Jundp2-pending、Lmo6、Mid1、AKAP13のマウス相同体、BIN2のマウス相同体、CEZANNEのマウス相同体、CHD2のマウス相同体、MBLLのマウス相同体、SLC16A10のマウス相同体、SLC16A6のマウス相同体、SLC17A5のマウス相同体、TAF5Lのマウス相同体、U1SNRNPBPのマウス相同体、ZNF8のマウス相同体、Mtap7、Myo1c、Nkx2-3、Nsf、Pcdh9、Pkig、Prdx2、Pscd1、Psmb1、Psme1、Psme2、Rgl1、Ril-pending、Sax1、Slc14a2、Slc7a1、Slc7a11、Swap70、Txnip、およびUbl3；構造タンパク質をコードするClic3、Gtl1-13、NOL5Aのマウス相同体、およびVdac2；転写調節に関与するタンパク質をコードするABT1-pending、Ctbp1、Dermo1、Ebf、Elf4、Ldb1、NR1D1のマウス相同体、ZER6のマウス相同体、Rest、Tbp、Zfp238、Zfp287、およびZfp319；Lrrc2、Satb1、Slfn4、ならびに以下のセレラIDコードを有するゲノム領域：
mCG10290、mCG10613、mCG11234、mCG11325、mCG11355、mCG11803、mCG11817、mCG12566、mCG12630、mCG12824、mCG13346、mCG14143、mCG14155、mCG14342、mCG15141、mCG15321、mCG16761、mCG16858、mCG17127、mCG17140、mCG17142、mCG17547、mCG17569、mCG17751、mCG17799、mCG17802、mCG17918、mCG18034、mCG1850、mCG18663、mCG18737、mCG20276、mCG20905、mCG20994、mCG21403、mCG21505、mCG21529、mCG21530、mCG21803、mCG22014、mCG22045、mCG22386、mCG2258、mCG22772、mCG23032、mCG23035、mCG23069、mCG23075、mCG23120、mCG2543、mCG2824、mCG2947、mCG3038、mCG3729、mCG3760、mCG50409、mCG50651、mCG5068、mCG5070、mCG51393、mCG52252、mCG52498、mCG53009、mCG53724、mCG55023、mCG55075、mCG55198、mCG55265、mCG55512、mCG56069、mCG56089、mCG56746、mCG57132、mCG57265、mCG57617、mCG57827、mCG58254、mCG58345、mCG5900、mCG5905、mCG59368、mCG59375、mCG59533、mCG59662、mCG59810、mCG59997、mCG60526、mCG60833、mCG61221、mCG61661、mCG61897、mCG61907、mCG61943、mCG62177、mCG62971、mCG63537、mCG63601、mCG64346、mCG64382、mCG64398、mCG65022、mCG65585、mCG65785、mCG66128、mCG66379、mCG66776、mCG66965、mCG7831、mCG7856、mCG8424、mCG9002、mCG9537、mCG9538、mCG9791、mCG9792、mCG9843、mCG9875、mCG9877、およびmCG988。
【手続補正書】
【提出日】平成18年8月9日(2006.8.9)
【手続補正１】
【補正対象書類名】特許請求の範囲
【補正対象項目名】請求項２
【補正方法】変更
【補正の内容】
【請求項２】
請求項1記載の化合物をコードする、単離された核酸。
【手続補正２】
【補正対象書類名】特許請求の範囲
【補正対象項目名】請求項６０
【補正方法】変更
【補正の内容】
【請求項６０】
化合物を調製する方法であり、以下の工程を含む方法：
（a）化合物の発現を提供するような条件下で、請求項47記載の核酸を含む細胞を培養する工程；および
（b）発現された化合物を回収する工程。
【手続補正書】
【提出日】平成18年8月31日(2006.8.31)
【手続補正１】
【補正対象書類名】特許請求の範囲
【補正対象項目名】全文
【補正方法】変更
【補正の内容】
【特許請求の範囲】
【請求項１】
ｃ）ウレタン基含有アルコール（Ｃ）を（メト）アクリル酸または（メト）アクリル酸と飽和アルコールとのエステル（Ｄ）と反応させ、かつ、
ｄ）場合により、ｃ）からの反応混合物を後処理することによって、ウレタン基含有（メト）アクリル酸エステル（Ｆ）を製造する方法において、
反応ｃ）を酵素（Ｅ）の存在下で実施することを特徴とする、ウレタン基含有（メト）アクリル酸エステル（Ｆ）を製造する方法。
【請求項２】
酵素（Ｅ）がリパーゼ、エステラーゼまたはプロテアーゼである、請求項１記載の方法。
【請求項３】
工程ｃ）における変換率を、少なくとも９５％に調整する、請求項１または２に記載の方法。
【請求項４】
反応ｃ）を２０〜８０℃で実施する、請求項１から３までのいずれか１項に記載の方法。
【請求項５】
ウレタン基含有アルコール（Ｃ）が、
ａ）アミン（Ａ）とカルボネート（Ｂ）とを反応させ、かつ
ｂ）場合により、ａ）で得られた反応混合物を後処理する、
ことによって得られる、請求項１から４までのいずれか１項に記載の方法。
【請求項６】
ウレタン基含有アルコール（Ｃ）が、
【化１】
2006508657.tif 000001
［式中、Ｒ３、Ｒ４は互いに独立して水素、Ｃ１〜Ｃ１８−アルキル、場合によっては１個または複数個の酸素原子および／または硫黄原子および／または１個または複数個置換されたかまたは非置換のイミノ基によって中断されたＣ２〜Ｃ１８−アルキル、Ｃ２〜Ｃ１８−アルケニル、Ｃ６〜Ｃ１２−アリール、Ｃ５〜Ｃ１２−シクロアルキルまたは５〜６員の酸素原子、窒素原子および／または硫黄原子を有するヘテロ環基、その際、前記の基は、それぞれアリール、アルキル、アリールオキシ、アルキルオキシ、ヘテロ原子および／またはヘテロ環基によって置換されていてもよいか、あるいは式−［Ｘｉ］ｋ−Ｈの基であり、
Ｙは、Ｃ２〜Ｃ２０−アルキレン、Ｃ５〜Ｃ１２−シクロアルキレンまたは１個または複数個の酸素原子および／または硫黄原子および／または１個または複数個置換されたかまたは非置換のイミノ基によってか、および／または１個または複数個のシクロアルキル、−（ＣＯ）−、−Ｏ（ＣＯ）Ｏ−、−（ＮＨ）（ＣＯ）Ｏ−、−Ｏ（ＣＯ）（ＮＨ）−、−Ｏ（ＣＯ）−または−（ＣＯ）Ｏ−基によって中断されたＣ２〜Ｃ２０−アルキレン、その際、前記の基はそれぞれアリール、アルキル、アリールオキシ、アルキルオキシ、ヘテロ原子および／またはヘテロ環基によって置換されていてもよく、
ｋは、１〜５０の数を示し、かつ、
Ｘｉは、ｉ＝１〜ｋであり、それぞれ、基−ＣＨ２−ＣＨ２−Ｏ−、−ＣＨ２−ＣＨ２−Ｎ（Ｈ）−、−ＣＨ２−ＣＨ２−ＣＨ２−Ｎ（Ｈ）−、−ＣＨ２−ＣＨ（ＮＨ２）−、−ＣＨ２−ＣＨ（ＮＨＣＨＯ）−、−ＣＨ２−ＣＨ（ＣＨ３）−Ｏ−、−ＣＨ（ＣＨ３）−ＣＨ２−Ｏ−、−ＣＨ２−Ｃ（ＣＨ３）２−Ｏ−、−Ｃ（ＣＨ３）２−ＣＨ２−Ｏ−、−ＣＨ２−ＣＨ２−ＣＨ２−Ｏ−、−ＣＨ２−ＣＨ２−ＣＨ２−ＣＨ２−Ｏ−、−ＣＨ２−ＣＨＶｉｎ−Ｏ−、−ＣＨＶｉｎ−ＣＨ２−Ｏ−、−ＣＨ２−ＣＨＰｈ−Ｏ−および−ＣＨＰｈ−ＣＨ２−Ｏ−から成る群から選択されてもよく、その際、Ｐｈはフェニルであり、かつＶｉｎはビニルを示す］の反応によって得られる、請求項５に記載の方法。
【請求項７】
ａ）質量平均分子量Ｍｗ２００〜１００００００を有する、ポリエチレンイミン、水素化ポリアクリルニトリル、アミノ官能基を有する直鎖、分枝または樹状ポリマーまたは少なくとも部分的に水素化されたポリ−Ｎ−ビニルホルムアミドと、カルボネート（Ｂ）とを、０〜１２０℃の温度で反応させ、
ｂ）場合により、ａ）から得られた反応混合物を後処理し、
ｃ）（メト）アクリル酸または（メト）アクリル酸エステルを含むａ）またはｂ）からの反応混合物を、飽和アルコール（Ｄ）と、酵素（Ｅ）の存在下で反応させ、かつ、
ｄ）場合により、ｃ）からの反応混合物を後処理する、
ことによって得られる、ウレタン基含有（メト）アクリル酸エステル。
【請求項８】
放射線硬化性塗料組成物または二段硬化性塗料組成物中での反応性希釈剤または結合剤として、あるいは、ポリ（メト）アクリレート中のコモノマーとしての、請求項１から７までのいずれか１項に記載の方法によって得られたウレタン基含有（メト）アクリル酸エステルの使用。
【請求項９】
熱誘導性（共）重合における、請求項１から７までのいずれか１項に記載の方法によって得られたウレタン基含有（メト）アクリル酸エステルの使用。